(57)【要約】【課題】  水平方向の情報表示画面に対して、利用者の位置に応じて映像情報の向きを調整して表示する。【解決手段】  本発明は、水平方向に情報表示画面があり、その画面を２つの領域に予め分割しておき、センサにより表示装置の近傍にいる人の位置を判定し、当該近傍に複数の人がいる場合には、人数の多い方向から見て適切な向きになるように、映像情報を回転させて水平方向の情報表示画面上に表示する。また、２つの領域の近傍に同人数がいる場合には表示の向きは変更しない。【選択図】  図１
2011192030.tif 000002
【特許請求の範囲】
【請求項１】
表示装置の水平方向の情報表示画面に情報を表示する情報表示装置であって、
前記表示装置の情報表示画面の短辺の中央から垂直に表示装置近傍の空間を２つの領域に分けた領域情報を格納する領域情報記憶手段と、
前記情報表示画面に表示する映像を格納した映像記憶手段と、
前記領域情報記憶手段を参照して、情報利用者が前記表示装置の近傍の前記２つの領域のうちのどちらにいるのかを判定し、該表示装置の近傍にいる情報利用者の位置情報を取得する位置情報取得手段と、
前記映像記憶手段から映像情報を取得し、前記情報利用者の位置情報に基づいて、前記水平方向の情報表示画面に表示する映像表示制御手段と、
を有し、
前記映像表示制御手段は、
前記表示装置の近傍に複数の人がいる場合は、前記２つの領域のうち人数の多い側の情報利用者が読みやすい向きに前記映像情報を回転させて表示し、どちらの側にも同じ人数がいる場合は表示の向きを変更しないように制御する手段を含む
ことを特徴とする情報表示装置。
【発明の詳細な説明】
【技術分野】
【０００１】
本発明は、情報表示装置に係り、特に、情報表示画面に情報を表示する向きを変更するための情報表示装置に関する。
【背景技術】
【０００２】
第１の従来技術として、ディスプレイテーブルやプロジェクタを用いて水平面に情報を表示する技術がある。当該技術は、映像を表示する場合に、利用者の位置に関係なく、予め決められた向きに情報を表示していた。
【０００３】
また、第２の従来技術として、視線方向を考慮し、投影面として手の平を用いて情報提示を行う方法がある（例えば、特許文献１参照）。
【先行技術文献】
【特許文献】
【０００４】
【特許文献１】特開２００９−１５１３８０号公報
【発明の概要】
【発明が解決しようとする課題】
【０００５】
しかしながら、上記第１の従来の技術では、利用者の位置に関係なく情報が表示されるため、利用者の位置によっては逆さまに表示されることもあった。
【０００６】
また、上記第２の従来技術は、投影面が手の平であるため、情報量（解像度）が小さい情報（映像）しか提示できない。
【０００７】
本発明は、上記の点に鑑みなされたもので、利用者の位置に応じて情報の向きを調整して表示することが可能な情報表示装置を提供することを目的とする。
【課題を解決するための手段】
【０００８】
図１は、本発明の原理構成図である。
【０００９】
本発明（請求項１）は、表示装置４０の水平方向の情報表示画面に情報を表示する情報表示装置であって、
表示装置４０の情報表示画面の短辺の中央から垂直に表示装置近傍の空間を２つの領域に分けた領域情報を格納する領域情報記憶手段１１と、
情報表示画面に表示する映像を格納した映像記憶手段３０と、
領域情報記憶手段１１を参照して、情報利用者が表示装置４０の近傍の２つの領域のうちのどちらにいるのかを判定し、該表示装置４０の近傍にいる情報利用者の位置情報を取得する位置情報取得手段１０と、
映像記憶手段３０から映像情報を取得し、情報利用者の位置情報に基づいて、水平方向の情報表示画面に表示する映像表示制御手段２０と、
を有し、
映像表示制御手段２０は、
表示装置４０の近傍に複数の人がいる場合は、２つの領域のうち人数の多い側の情報利用者が読みやすい向きに映像情報を回転させて表示し、どちらの側にも同じ人数がいる場合は表示の向きを変更しないように制御する手段を含む。
【発明の効果】
【００１０】
上記のように本発明によれば、利用者の位置に応じて情報の向きを調整して表示することにより、可読性の高い表示を行うことができる。
【図面の簡単な説明】
【００１１】
【図１】本発明の原理構成図である。
【図２】本発明の利用イメージを示す図である。
【図３】本発明の一実施の形態における情報表示装置の構成図である。
【図４】本発明の一実施の形態における情報表示面を上から見たときの空間分割を示す図である。
【図５】本発明の一実施の形態における情報表示の向きの例である。
【発明を実施するための形態】
【００１２】
以下、図面と共に本発明の実施の形態を説明する。
【００１３】
まず、最初に利用イメージについて説明する。
【００１４】
図２は、本発明の利用想定図を示す。
【００１５】
本発明は、人影センサ１で情報利用者２の位置を判定し、当該情報利用者２が見やすい向きで情報表示面３に情報を表示する。同図では、情報利用者２に対して情報表示部３の表示画面が水平方向にある。
【００１６】
なお、以下では、情報利用者２（人）が情報表示画面３を見る時の立ち位置に制約条件がない状況を想定している。
【００１７】
図３は、本発明の一実施の形態における情報表示装置の構成を示す。
【００１８】
同図に示す情報表示装置は、センサ部１０、映像表示制御部２０、映像記憶装置３０、表示装置４０から構成される。
【００１９】
センサ部１０は、表示装置４０の近傍にいる情報利用者１の位置情報を取得し、当該情報利用者２の位置を判定する。情報利用者の位置の判定においては、表示装置４０の短辺の中央から垂直に表示装置４０近傍の空間を２つの領域に分け、予め領域情報としてセンサ部１０内部のメモリ（図示せず）に格納しておくものとし、当該メモリの領域情報を参照して情報利用者１がそのどちらにいるかを判定する。情報表示面を上から見たときの空間分割について図４に示す。
【００２０】
映像表示制御部２０は、映像記憶装置３０から映像情報を取得し、センサ部１０から取得した情報利用者２の位置情報に基づいて表示の向きを調整する。表示装置４０近傍に複数の人がいるならば、人数の多い側の情報利用者が読みやすい向きに情報を表示する。どちらの側にも同じ人数がいる場合は、表示の向きを変更しない。
【００２１】
表示装置４０は、映像表示制御部２０から映像情報を取得し、表示する。
【００２２】
図５は、本発明の一実施の形態における人数が奇数の場合の情報表示の向きを示す例である。
【００２３】
情報表示面の中央を境に、領域をＡとＢの２つに分ける。この例では、領域Ａの人数の方が多いので、領域Ａ側を優先した向きに情報を表示する。
【００２４】
このように、人数の多い方から見て情報表示面が最適な向きになるように表示情報を回転させた上で表示する操作を行うことにより大勢の利用者から見て可読性の良い向きに情報を表示することができる。
【００２５】
なお、上記の映像表示制御部２０の動作をプログラムとして構築し、情報表示装置として利用されるコンピュータにインストールして実行させる、または、ネットワークを介して流通させることが可能である。
【００２６】
また、構築されたプログラムをハードディスクや、フレキシブルディスク・ＣＤ−ＲＯＭ等の可搬記憶媒体に格納し、コンピュータにインストールする、または、配布することが可能である。
【００２７】
なお、本発明は、上記の実施の形態に限定されることなく、特許請求の範囲内において種々変更・応用が可能である。
【符号の説明】
【００２８】
１  人影センサ
２  情報利用者
３  情報表示面
１０  位置情報取得手段、センサ部
１１  領域情報記憶手段
２０  映像表示制御手段、映像表示制御部
３０  映像記憶手段、映像記憶装置
４０  表示装置
【図１】
2011192030.tif 000003
【図２】
2011192030.tif 000004
【図３】
2011192030.tif 000005
【図４】
2011192030.tif 000006
【図５】
2011192030.tif 000007